(57)【要約】【課題】  表示画像のモアレ干渉の発生を抑制しつつ上下方向の視野角を制限できるようにして、貼り付け後の表示画像の鮮明度を低下させることなく、プライバシー保護をより強化することができる視野角制限シートを提供する。【解決手段】  ディスプレイの視野角を制限するために当該ディスプレイの表示画面３に貼り付けて使用する、その表示画面３にほぼ相当する大きさの長方形状に形成された視野角制限シート１において、当該視野角制限シート１を、その縦方向に対して４５度未満で傾斜した遮光帯５と透明帯６を交互に並設してなるルーバー層７を有するルーバーフィルム８と、このルーバーフィルム８の表面側に全面に渡って設けられたカラー分解のスクリーン印刷による網点印刷部１０とから構成する。【選択図】      図１
2007212862.tif 000002
【特許請求の範囲】
【請求項１】
ディスプレイの視野角を制限するために当該ディスプレイの表示画面に貼り付けて使用する、前記表示画面にほぼ相当する大きさの長方形状に形成された視野角制限シートにおいて、
当該視野角制限シートの縦方向に対して４５度未満で傾斜した遮光帯と透明帯を交互に並設してなるルーバー層を有するルーバーフィルムと、このルーバーフィルムの表面側に全面に渡って設けられたカラー分解のスクリーン印刷による網点印刷部と備えていることを特徴とする視界角制限シート。
【請求項２】
前記ルーバー層を構成する前記遮光帯及び透明帯の当該視野角制限シートの縦方向に対する傾斜角度が８度以上でかつ２５度以下に設定されている請求項１に記載の視野角制限シート。
【請求項３】
前記ルーバーフィルムの表面全面にプリントフィルムが積層され、このプリントフィルムの表面全面に前記網点印刷部がスクリーン印刷されている請求項１又は２に記載の視野角制限シート。
【請求項４】
前記網点印刷部は、シアン、マゼンタ及びイエローの三原色とブラックのそれぞれの色の刷版となる３５０〜５００メッシュのスクリーン紗を用いて重ね印刷するスクリーン印刷によって施されたものである請求項１〜３のいずれか１項に記載の視野角制限シート。
【請求項５】
次の工程（ａ）〜（ｃ）を含む視野角制限シートの製造方法。
（ａ）  大判の長方形状のプリントフィルムよりなる第一素材フィルムの表面に、複数の網点印刷部を当該第一素材フィルムの一辺に対して４５度未満で傾斜した方向に沿って縦横に配列した状態でスクリーン印刷する第一工程
（ｂ）  遮光帯と透明帯を幅方向に交互に並設してなるルーバー層を有する大判の長方形状のルーバーフィルムよりなる第二素材フィルムの表面に、前記第一素材フィルムをそれらの一辺同士が互いに平行となるように貼り付けて両素材フィルムを積層する第二工程
（ｃ）  前記第一及び第二素材フィルムを積層してなる積層フィルム中の前記複数の網点印刷部に対応する部分を打ち抜いて、複数の視野角制限シートを得る第三工程
【発明の詳細な説明】
【技術分野】
【０００１】
本発明は、液晶表示装置等よりなるディスプレイの視野角を制限するために当該ディスプレイの表面に貼り付けて使用する視野角制限シートとその製造方法に関する。
【背景技術】
【０００２】
従来より、携帯電話機の液晶表示装置よりなるディスプレイの表示画面に貼り付けて使用し、これによって当該ディスプレイの視野角を制限するようにした視野角制限シートが知られている（特許文献１及び２）。かかる従来の視野角制限シートは、ディスプレイの表示画面にほぼ相当する大きさの長方形状に形成されたルーバーフィルムから構成されており、このフィルムは、当該視野角制限シートの縦方向に沿って延びる遮光帯と透明帯とを交互に並設してなるルーバー層を内部に有している。
【０００３】
上記視野角制限シートをディスプレイの表示画面に貼り付けると、ディスプレイのバックライトから発せられる光線のうち、表示画面の法線方向に対して所定の視野角以内でルーバー層に入射する光線が透明帯を通過し、その視野角以上でルーバー層に入射する光線は遮光帯によって遮られる。従って、この視野角制限シートによれば、ディスプレイのほぼ正面に位置するユーザーだけが表示画面を見ることができ、ディスプレイの左右両側に位置する他人が表示画面を覗き見することができなくなる。このため、当該視野角制限シートはプライバシー保護に役立つ製品として既に市販されている。
【０００４】
【特許文献１】登録実用新案第３０８１２９９号公報
【特許文献２】ＷＯ  ２００５／０９２５４４  Ａ１（Ａｂｓｔｒａｃｔ）
【発明の開示】
【発明が解決しようとする課題】
【０００５】
上記従来の視野角制限シートでは、ルーバー層を構成する遮光帯と透明帯が当該視野角制限シートの縦方向に沿って延びており、この視野角制限シートの縦方向を表示画面の縦方向に一致させて貼り付けるようになっているので、ディスプレイの左右方向の視野角を制限することはできても、上下方向の視野角を制限できないという欠点がある。
特に、昨今では携帯電話機による電子メールの普及に伴い、携帯電話機へのメール入力を屋外で行うユーザーが増えている。この場合、例えば電車の車内で背の低いユーザーの隣に背の高い人が来ると、その背の高い人がディスプレイの表示画面を上方から覗き見することも可能であることから、ディスプレイの上下方向の視野角を制限できる携帯電話機用の視野角制限シートが切望されている。
【０００６】
上記の不都合を解消する手段として、視野角制限シートをディスプレイの表示画面に貼り付けた際に、ルーバー層の遮光帯と透明帯が予め表示画面の縦方向に対して傾斜した状態となるように、遮光帯と透明帯を視野角制限シートの縦方向に対して比較的大きく傾斜させておくことが考えられる。
例えば、ルーバー層の遮光帯と透明帯を視野角制限シートの縦方向に対して４５度傾斜させて当該視野角制限シートを作製し、このシートをディスプレイの表示画面に縦方向を揃えて貼り付けるようにすれば、遮光帯と透明帯が表示画面の縦方向に対してほぼ４５度で傾斜することになるので、左右方向だけでなく上下方向の視野角も制限することができる。
【０００７】
しかし、ルーバー層の遮光帯と透明帯を表示画面の縦方向に対してほぼ４５度で傾斜させた場合には、上下方向の視野角も制限される代わりに、左右方向の視野角が広がってしまい、左右方向からの覗き見を行い易くなるという不都合がある。また、ルーバー層の遮光帯と透明帯を表示画面の縦方向に対してほぼ４５度で傾斜させた場合には、遮光帯と透明帯が表示画面の画素配列とモアレ干渉し易くなり、視野角制限シートを通した場合の表示画面の図柄、文字及び記号等よりなる表示画像が読み難くなるという欠点もある。
【０００８】
本発明は、このような実情に鑑み、表示画像のモアレ干渉の発生を抑制しつつ上下方向の視野角を制限できるようにして、貼り付け後の表示画像の鮮明度を低下させることなく、プライバシー保護をより強化することができる視野角制限シートとその製造方法を提供することを目的とする。
【課題を解決するための手段】
【０００９】
本出願の発明者は、遮光帯と透明帯を交互に並設してなるルーバー層を有するルーバーフィルムを用いた視野角の制限手法について研究を重ねた結果、遮光帯と透明帯がディスプレイの表示画面の縦方向に対して４５度で傾斜させなくても、ルーバーフィルムの表面側に全面に渡ってカラー分解のスクリーン印刷による網点印刷部を設けると、上下方向の視野角を十分に制限し得ることを見出し、本発明を完成するに至った。
【００１０】
すなわち、本発明に係る視野角制限シートは、ディスプレイの視野角を制限するために当該ディスプレイの表示画面に貼り付けて使用する、前記表示画面にほぼ相当する大きさの長方形状に形成された視野角制限シートにおいて、当該視野角制限シートの縦方向に対して４５度未満で傾斜した遮光帯と透明帯を交互に並設してなるルーバー層を有するルーバーフィルムと、このルーバーフィルムの表面側に全面に渡って設けられたカラー分解のスクリーン印刷による網点印刷部と備えていることを特徴とするものである。
【００１１】
本発明によれば、ルーバー層を構成する遮光帯と透明帯が視野角制限シートの縦方向に対して４５度未満で傾斜しているので、このシートをディスプレイの表示画面に縦方向を揃えて貼り付けると、その遮光帯と透明帯が表示画面の画素配列に対してモアレ干渉の発生し難い４５度未満の角度で傾斜した状態になり、貼り付け後の表示画像の鮮明度が低下するのが防止される。
また、本発明によれば、カラー分解のスクリーン印刷による網点印刷部が上記ルーバーフィルムの表面側に全面に渡って設けられているので、この網点印刷部を構成する網点ドットがルーバー層の透明帯を通過した光線に乱反射を起こさせて適度な隠蔽性を発揮し、遮光帯と透明帯が表示画面の縦方向に対して４５度未満で傾斜している場合でも、上下方向の視野角を十分に制限することができる。このため、左右方向だけでなく上下方向の視野角も制限でき、プライバシー保護をより強化することができる。
【００１２】
前記ルーバー層を構成する前記遮光帯及び透明帯の視野角制限シートの縦方向に対する傾斜角度は、好ましくは、８度以上でかつ２５度以下に設定されていることが好ましい。
その理由は、上記傾斜角度が８度未満の場合には、視野角制限シートをディスプレイの表示画面に互いの縦方向を揃えて貼り付けた場合に、ルーバー層を構成する遮光帯と透明帯が表示画面の画素配列に対して若干ずれた状態になり易く、これによって却って表示画像にモアレ干渉が発生し易くなるためである。また、上記傾斜角度が２５度を超えると、ルーバーフィルムが本来有する左右方向での視野角の制限が発揮されず、左右方向から覗き見できる範囲が大きくなって好ましくないからである。
【００１３】
本発明に係る視野角制限シートにおいて、前記網点印刷部は、ルーバーフィルムの表面全面に直接スクリーン印刷することにしてもよいが、この場合には、網点印刷部を構成する網点ドットがルーバー層に対して厚さ方向に極めて近接した状態となり、ルーバー層の透明帯が網点ドットで塞がれる度合いが増すため、表示画面上の文字や記号等がぼやける度合いが増大する。
そこで、網点印刷部をルーバーフィルムの表面に直接プリントするのではなく、ルーバーフィルムの表面全面にプリントフィルムを積層し、このプリントフィルムの表面全面に前記網点印刷部をスクリーン印刷することが好ましい。
【００１４】
この場合には、網点印刷部を構成する網点ドットとルーバー層との厚さ方向の距離がプリントフィルムの厚さ分だけ増大することになる。このため、網点印刷部をルーバーフィルムの表面に直接プリントする場合に比べて、ルーバー層の透明帯が網点ドットで塞がれる度合いが減少し、表示画面上の文字や記号がより鮮明になる。
また、一般に、ルーバーフィルムは内部構造が複雑で高価である。このため、ルーバーフィルムに網点印刷部を直接スクリーン印刷すると、印刷ぼけが発生した場合には高価なルーバーフィルム自体を廃棄せざるを得なくなり、歩留まりが悪くなって製造コストが高騰する。この点、網点印刷部をルーバーフィルムに積層したプリントフィルムの表面にスクリーン印刷すると、印刷が失敗してもより安価なプリントフィルムだけを廃棄すればよいので、製造コストを低減することができる。
【００１５】
本発明に係る視野角制限シートにおいて、カラー分解のスクリーン印刷による前記網点印刷部は、より具体的には、シアン、マゼンタ及びイエローの三原色とブラックのそれぞれの色の刷版となる３５０〜５００メッシュのスクリーン紗を用いて重ね印刷するスクリーン印刷によって施すことができる。
通常市販されているルーバーフィルムのルーバー層は概ね０．０１〜０．０５ｍｍ程度の間隔で遮光帯が並んでいる。かかるルーバー層を表示画面の縦方向に対して傾斜させた場合に、適度な隠蔽性を与えて上下方向の視野角の制限機能を発揮させるには、概ね１５０線／インチの網点ドットが適当であり、かかるドット数を実現するには、３５０〜５００メッシュの精細なスクリーン紗が必要である。
【００１６】
一方、本発明に係る視野角制限シートの製造方法は、次の工程（ａ）〜（ｃ）を含むものである。
（ａ）  大判の長方形状のプリントフィルムよりなる第一素材フィルムの表面に、複数の網点印刷部を当該第一素材フィルムの一辺に対して４５度未満で傾斜した方向に沿って縦横に配列した状態でスクリーン印刷する第一工程
（ｂ）  遮光帯と透明帯を幅方向に交互に並設してなるルーバー層を有する大判の長方形状のルーバーフィルムよりなる第二素材フィルムの表面に、前記第一素材フィルムをそれらの一辺同士が互いに平行となるように貼り付けて両素材フィルムを積層する第二工程
（ｃ）  前記第一及び第二素材フィルムを積層してなる積層フィルム中の前記複数の網点印刷部に対応する部分を打ち抜いて、多数の視野角制限シートを得る第三工程
【００１７】
上記の本発明方法では、ルーバーフィルムよりなる第二素材フィルムに網点印刷部を直接スクリーン印刷するのではなく、プリントフィルムよりなる第一素材フィルムに網点印刷部をスクリーン印刷したあと両素材フィルムを積層するようにしているので、スクリーン印刷に印刷ぼけが発生しても、より安価なプリントフィルムを廃棄するだけでよく、高価な第二素材フィルムを廃棄する必要がない。このため、視野角制限シートの製造コストを向上することができる。
【発明の効果】
【００１８】
以上の通り、本発明によれば、表示画像のモアレ干渉の発生を抑制しつつ上下方向の視野角を制限できるので、貼り付け後の表示画像の鮮明度を低下させることなく、左右方向だけでなく上下方向の視野角も制限できる点でプライバシー保護をより強化した視野角制限シートを得ることができる。
【発明を実施するための最良の形態】
【００１９】
以下、図面に基づいて本発明の実施形態を説明する。
図１は本発明に係る視野角制限シート１の一実施形態を示し、図２は同シート１を携帯電話機２に適用した場合の使用例を示している。また、図３はその視野角制限シート１の断面構造を示している。
図２に示すように、本実施形態の視野角制限シート１は、携帯電話機２の液晶表示装置よりなるディスプレイの視野角を制限するために、当該ディスプレイの表示画面３に貼り付けて使用するものであり、その表示画面３にほぼ相当する大きさの長方形状に形成されている。なお、この場合の長方形は正方形も含む。
【００２０】
図１及び図３（ｂ）に示すように、上記視野角制限シート１は、遮光帯５と透明帯６を交互に並設してなるルーバー層７を有するルーバーフィルム８と、このルーバーフィルム８の表面全面に積層されたプリントフィルム９とを備えており、このプリントフィルム９の表面全面に、カラー分解のスクリーン印刷による網点印刷部１０によって所定の図柄１１（図例では犬の図柄）が施されている。
上記ルーバーフィルム８は、ルーバー層７の表裏両面に合成樹脂製のコートフィルム１２，１２を積層してなり、裏面側のコートフィルム１２の裏面は貼り替え可能なウレタンのり等よりなる接着層１３と離型フィルム１４で覆われている。
【００２１】
本実施形態では、上記ルーバーフィルム８として、韓国のＳＨＥＨＷＡ  Ｐ＆Ｃ社の「Magic Screen」（商品名）を採用した。なお、この製品は既に国際出願されており（WO 2005/092544 A1）、その出願明細書にも記載されている通り、ルーバー層７とコートフィルム１２の間に帯電防止層を設けて電磁波遮断機能を付加することもできる。
ルーバー層７を構成する遮光帯５と透明帯６は、視野角制限シート１の左右両側辺と平行な方向である当該シート１の縦方向Ａ（図１参照）に対して４５度未満で傾斜した方向に延びている。この傾斜角度θは、好ましくは８度以上でかつ２５度以下に設定することができ、本実施形態では１５度に設定されている。
【００２２】
上記プリントフィルム９は、ほぼ０．０５ｍｍ程度の厚さのＰＥＴ等の合成樹脂フィルムよりなり、強粘着のり等よりなる固着層１５を介してルーバーフィルム８の表面全面に渡って固着されている。このプリントフィルム９の表面に形成されたカラー分解のスクリーン印刷による網点印刷部１０は、シアン、マゼンタ及びイエローの三原色とブラックのそれぞれの色の刷版となる３５０〜５００メッシュのスクリーン紗（図示せず）を用いて重ね印刷する、スクリーン印刷によって施されたものである。なお、上記スクリーン印刷はＡＭスクリーン及びＦＭスクリーンのいずれであってもよい。
【００２３】
図３及び図４は、当該視野角制限シート１の製造方法を示している。
図４に示すように、本実施形態の製造方法では、まず、大判の長方形状の前記プリントフィルム９よりなる第一素材フィルム１７の表面に、複数の網点印刷部１０を、当該第一素材フィルム１７の一辺に対して４５度未満（本実施形態では１５度に設定）で傾斜した方向に沿って縦横に配列した状態でスクリーン印刷しておく。
その後、遮光帯５と透明帯６を幅方向に交互に並設してなるルーバー層７を有する大判の長方形状の前記ルーバーフィルム８よりなる第二素材フィルム１８の表面に、第一素材フィルム１７をそれらの一辺同士が互いに平行となるように、強粘着のり等よりなる前記固着層１５を介して貼り付け、これによって両素材フィルム１７，１８を積層して一体化する。
【００２４】
そして、上記第一及び第二素材フィルム１７，１８を積層してなる積層フィルム中の複数の網点印刷部１０に対応する部分を例えばトムソン型によって打ち抜き、これにより、複数の前記視野角制限シート１を得るようにしている。
本実施形態の視野角制限シート１によれば、ルーバー層７を構成する遮光帯５と透明帯６が視野角制限シート１の縦方向に対して４５度未満で傾斜しているので、このシート１をディスプレイの表示画面３に互いの縦方向を揃えて貼り付けると、その遮光帯５と透明帯６が表示画面３の画素配列に対してモアレ干渉の発生し難い４５度未満の角度で傾斜した状態になる。このため、視野角制限シート１を貼り付けた後の表示画像の鮮明度が低下するのが防止される。
【００２５】
また、本実施形態の視野角制限シート１によれば、カラー分解のスクリーン印刷による網点印刷部１０がルーバーフィルム８の表面側に全面に渡って設けられているので、この網点印刷部１０を構成する網点ドット１０ａがルーバー層７の透明帯６を通過した光線に乱反射を起こさせて適度な隠蔽性を発揮し、遮光帯５と透明帯６が表示画面３の縦方向に対して４５度未満で傾斜している場合であっても、上下方向の視野角を十分に制限することができる。このため、左右方向だけでなく上下方向の視野角も制限でき、プライバシー保護をより強化することができる。
【００２６】
また、特に本実施形態では、視野角制限シート１の縦方向に対して遮光帯５と透明帯６の傾斜角度θを８度以上でかつ２５度以下に設定しているので、次のような作用効果を奏する。すなわち、傾斜角度θが８度未満の場合には、視野角制限シート１をディスプレイの表示画面３に互いの縦方向を揃えて貼り付けた場合に、ルーバー層７を構成する遮光帯５と透明帯６が表示画面３の画素配列に対して若干ずれた状態になり易く、これによって却って表示画像にモアレ干渉が発生し易くなるが、本実施形態では傾斜角度θを８度以上に設定しているので、この場合のモアレ干渉を防止することができる。
【００２７】
一方、上記傾斜角度θが２５度を超えると、ルーバーフィルム８が本来有する左右方向での視野角の制限が発揮されず、左右方向から覗き見できる範囲が大きくなるが、本実施形態では傾斜角度θを２５度以下に設定しているので、ルーバーフィルム８が本来有する左右方向での視野角の制限範囲を有効に確保することができる。
【００２８】
更に、本実施形態の視野角制限シート１では、網点印刷部１０をルーバーフィルム８の表面に直接プリントするのではなく、ルーバーフィルム８の表面全面にプリントフィルム９を積層し、このプリントフィルム９の表面全面に網点印刷部１０をスクリーン印刷するようにしているので、網点印刷部１０を構成する網点ドット１０ａとルーバー層７との厚さ方向の距離が少なくともプリントフィルム９の厚さ分だけ増大する。このため、網点印刷部１０をルーバーフィルム９の表面に直接プリントする場合に比べて、ルーバー層７の透明帯５が網点ドット１０ａで塞がれる度合いが減少し、表示画面上の文字や記号がより鮮明になる。
【００２９】
また、この場合、スクリーン印刷の一部に印刷ぼけ等の失敗が生じても、より安価なプリントフィルム９だけを廃棄すればよく、高価なルーバーフィルム８を廃棄処分にする必要がないので、製造コストを低減できるという利点もある。
【００３０】
なお、本発明は上記実施形態に限定されるものではない。
例えば、本発明の視野角制限シート１は、携帯電話機２以外にも、ＰＤＡ（Personal Digital Assistance）、携帯ゲーム機及びノートパソコン等のモバイル端末製品や、デスクトップパソコンやテレビ等の家庭内端末製品の表示装置（ＬＣＤ、ＣＲＴ、ＰＤＰ及び有機ＥＬ等）となるディスプレイの表示画面に相当する大きさに形成し、その表示画面に貼り付けて使用することもできる。
【図面の簡単な説明】
【００３１】
【図１】本発明の視野角制限シートを構成するルーバーフィルムとプリントフィルムを分離した状態を示す平面図である。
【図２】上記視野角制限シートを携帯電話機に貼り付ける場合を示す斜視図である。
【図３】上記視野角制限シートの積層構造を示しており、（ａ）はプリントフィルムとルーバーフィルムが分離した状態、（ｂ）はプリントフィルムとルーバーフィルムが積層された状態を示す。
【図４】プレートフィルムよりなる第一素材フィルムとルーバーフィルムよりなる第二素材フィルムを積層する前の状態を示す平面図である。
【符号の説明】
【００３２】
１      視野角制限シート
２      携帯電話機
３      ディスプレイの表示画面
５      遮光帯
６      透明帯
７      ルーバー層
８      ルーバーフィルム
９      プリントフィルム
１０      網点印刷部
１７      第一素材フィルム
１８      第二素材フィルム
Ａ      視野角制限シートの縦方向
θ      傾斜角度
【図１】
2007212862.tif 000003
【図２】
2007212862.tif 000004
【図３】
2007212862.tif 000005
【図４】
2007212862.tif 000006